(57)【特許請求の範囲】
【請求項１】
細長く形成されたホルダーと、該ホルダーの先端部に固着された刃体と、ホルダーに取付けられ長手方向に摺動して刃体の露出と覆いを行なうカバーとを含み、カバーは中空であって両端が開放され、ホルダーの先端部から所定の位置までは前記カバーを摺動するためのカバー摺動部に形成され、カバーを前記カバー摺動部の表面に被せるようにはめることによってカバーを摺動可能とした手術用メスであって、前記カバー摺動部は断面がほぼ矩形に形成されその底面に複数の係止凹部が前後に距離を置いて設けられ、カバーの内部の断面もほぼ矩形に形成され、カバーの両側面の後端から前方に延びるスリットを設けることにより、該スリットよりも下方部分を揺動可能な揺動部とし、該揺動部の底に係止突起が一体に設けられ、揺動部を下方に揺動させたときに係止凹部と係止突起との係止状態が解除されてカバーを摺動させることができ、係止突起が前方の係止凹部に係止したときにカバーは刃体をその先端まで覆い、係止突起が後方の係止凹部に係止したときにカバーは後退して刃体が露出することを特徴とする手術用メス。
【請求項２】
スリットは、カバーの両側面の後端のほぼ中ほどの高さから切り込まれ、直線状に所定の長さで前方に延び、そこから下方に向い、カバーの内部の底に近接した位置から再び直線状に所定の長さで前方に延びている請求項１記載の手術用メス。
【請求項３】
カバー摺動部に設けられた係止凹部の断面は逆台形の形状であり、カバーの揺動部の底に設けられた係止突起の断面は矩形の形状である請求項１又は請求項２記載の手術用メス。
【発明の詳細な説明】
【０００１】
【発明の属する技術分野】
本発明は、主に医療機関が手術の際に使用する手術用メスに関する。
【０００２】
【従来の技術】
手術用メスであって使用しないときに刃体を覆うことができるものは従来から存在している。その構成は、ホルダーの長さ方向にガイド溝を設け、刃体を結合したスライダ−を刃体と共にそのガイド溝内に摺動可能に装着し、スライダ−を前後に摺動させることによって刃体をホルダーの先端から出没するものである。
【０００３】
【発明が解決しようとする課題】
従来の手術用メスは上述した通りの構成であり、刃体はスライダ−に結合されていて、そのスライダ−は摺動可能にホルダーのガイド溝内に嵌挿されている。したがって、刃体はホルダーに完全に固着されていないので、使用中に刃体がホルダーに対してガタつくことは否めない。そこで、本発明は、刃体がホルダーに完全に固着されてガタつくことがなく、しかも使用しないときは刃体を覆うことができる手術用メスを提供することを目的とする。
【０００４】
【課題を解決するための手段】
請求項１は、細長く形成されたホルダーと、該ホルダーの先端部に固着された刃体と、ホルダーに取付けられ長手方向に摺動して刃体の露出と覆いを行なうカバーとを含み、カバーは中空であって両端が開放され、ホルダーの先端部から所定の位置までは前記カバーを摺動するためのカバー摺動部に形成され、カバーを前記カバー摺動部の表面に被せるようにはめることによってカバーを摺動可能とした手術用メスであって、前記カバー摺動部は断面がほぼ矩形に形成されその底面に複数の係止凹部が前後に距離を置いて設けられ、カバーの内部の断面もほぼ矩形に形成され、カバーの両側面の後端から前方に延びるスリットを設けることにより、該スリットよりも下方部分を揺動可能な揺動部とし、該揺動部の底に係止突起が一体に設けられ、揺動部を下方に揺動させたときに係止凹部と係止突起との係止状態が解除されてカバーを摺動させることができ、係止突起が前方の係止凹部に係止したときにカバーは刃体をその先端まで覆い、係止突起が後方の係止凹部に係止したときにカバーは後退して刃体が露出する構成である。
【０００５】
請求項２は、スリットが、カバーの両側面の後端のほぼ中ほどの高さから切り込まれ、直線状に所定の長さで前方に延び、そこから下方に向い、カバーの内部の底に近接した位置から再び直線状に所定の長さで前方に延びている要素が請求項１に付加された構成である。
【０００６】
請求項３は、カバー摺動部に設けられた係止凹部の断面は逆台形の形状であり、カバーの揺動部の底に設けられた係止突起の断面は矩形の形状である要素が請求項１又は請求項２に付加された構成である。
【０００７】
【発明の効果】
請求項１は、細長く形成されたホルダーと、該ホルダーの先端部に固着された刃体と、ホルダーに取付けられ長手方向に摺動して刃体の露出と覆いを行なうカバーとを含み、カバーは中空であって両端が開放され、ホルダーの先端部から所定の位置までは前記カバーを摺動するためのカバー摺動部に形成され、カバーを前記カバー摺動部の表面に被せるようにはめることによってカバーを摺動可能とした手術用メスであって、前記カバー摺動部は断面がほぼ矩形に形成されその底面に複数の係止凹部が前後に距離を置いて設けられ、カバーの内部の断面もほぼ矩形に形成され、カバーの両側面の後端から前方に延びるスリットを設けることにより、該スリットよりも下方部分を揺動可能な揺動部とし、該揺動部の底に係止突起が一体に設けられ、揺動部を下方に揺動させたときに係止凹部と係止突起との係止状態が解除されてカバーを摺動させることができ、係止突起が前方の係止凹部に係止したときにカバーは刃体をその先端まで覆い、係止突起が後方の係止凹部に係止したときにカバーは後退して刃体が露出する。したがって、使用時にカバーを握ったときに、その握った指の力でカバーの内部の底に設けられた係止突起が下方へ移動することはありえないので、使用中に係止状態が解除することが全く無く、カバーを確実に固定することができる。また、係止凹部と係止突起の係脱はカバー自体を要素とする揺動部の揺動によって行なわれるので、カバーの表面に操作用の突起等が出ることがなく、カバーの握り心地がよく且つカバーを誤って移動させる虞もない。
【０００８】
請求項２は、スリットが、カバーの両側面の後端のほぼ中ほどの高さから切り込まれ、直線状に所定の長さで前方に延び、そこから下方に向い、カバーの内部の底に近接した位置から再び直線状に所定の長さで前方に延びている。したがって、図１乃至図３から明らかなように、揺動部を操作するために十分に広い操作面が揺動部の両側面に形成されるのでカバーの摺動を円滑に行なうことができる。
【０００９】
請求項３は、カバー摺動部に設けられた係止凹部の断面は逆台形の形状であり、カバーの揺動部の底に設けられた係止突起の断面は矩形の形状である。係止凹部の断面を逆台形にすれば係止凹部から滑り出すことがなくカバーを確実に係止することができる。仮に、係止凹部の断面形状が矩形であるときは、カバーの係止中に長手方向の強い力が加わったときに、係止突起が揺動部のたわみと共に係止凹部から滑り出す虞がある。
【００１０】
【発明の実施の形態】
次に本発明の実施の形態を図面に従って説明する。ホルダー１はプラスチックで細長く形成され先端に刃体２が固着されている。固着の方法は、ホルダーに細長突起３を設け、刃体２に設けた孔部４にその細長突起３を嵌合することにより行なわれる。ホルダー１の長さはほぼ１３ｃｍであるが、この数値に限定されないことは勿論である。
【００１１】
ホルダー１のほぼ中央部に段差５が設けられ、この段差５よりも前方部分は細く形成されており、この部分がカバー６を摺動自在に取付けるためのカバー摺動部７である。カバー摺動部７の底面には前後に距離を置いて２つの係止凹部８，９が設けられている。
【００１２】
カバー６はほぼ矩形の筒状に形成されており、前端と後端は開放されている。カバー６の後端のほぼ中ほどの高さから前方に延びるスリット１０が切り込まれ、スリット１０はカバー６の後端から前方に直線状に所定の位置まで延び、そこから斜め下方に向い、カバーの底１１に近接した位置から再び直線状に所定の長さで前方に延びている。
【００１３】
スリット１０を設けることによりカバー６と一体の揺動部１２が形成され、揺動部１２の側面に指を当てて揺動部１２を引き下げるための操作部１３が形成される。また、揺動部１２の底１４には１つの係止突起１５が一体に設けられている。したがって、この係止突起１５は揺動部１２の揺動と共に上下に可動である。
【００１４】
本発明のメスを組立てるときは、カバー６の後端開放口１６から刃体２及びカバー摺動部７を挿入する。カバー摺動部７の刃体取り付け部の後方に下向き傾斜面１７が形成されているので、カバー摺動部７をカバー６に挿入したときに、底１４の幅の半分程度の幅に形成されている係止突起１５が下向き傾斜面１７に当って下方に押されると共に揺動部１２が下方に揺動する。さらにそのまま挿入していけば係止突起１５は前方の係止凹部８内に入ってカバー６は固定される。カバー６のこの固定位置で刃体２はカバー６に覆われ、使用する直前まではこの状態が保たれている。
【００１５】
本発明のメスを使用するときは、揺動部１２の操作部１３に指を当てて揺動部１２を引き下げる。その結果、係止突起１５が移動し係止凹部８から出て係止が解除されるので、カバー６を後方に摺動させ係止突起１５を後方の係止凹部９に係止する。この操作によって刃体２を露出させることができる。
【００１６】
段差５の高さはカバー６の厚みと同じ数値であるから、カバー６を後方に摺動させたときはカバー６の表面とホルダーの表面との境目に段差が生じないのでメスが握り易いという効果を奏する。使用後は再び係止を解除してカバー６を前方に摺動させ、係止突起１５を前方の係止凹部８に係止させればよい。
【００１７】
図４に示したように、係止突起１５の断面は矩形であるのに対して、係止凹部８，９の断面は逆台形の形状に形成されている。このようにした理由は、係止凹部８，９の断面が矩形であるときは、カバー６の係止中に長手方向の強い力が加わったときに、係止突起１５が揺動片１２のたわみと共に係止凹部８，９内から滑り出すことがあるからである。係止凹部８，９の断面を逆台形にすれば係止凹部８，９から滑り出すことがなくカバー６を確実に係止することができる。
【図面の簡単な説明】
【図１】    本発明の使用状態を示す斜視図
【図２】    本発明の使用前の状態を示す斜視図
【図３】    本発明の分解斜視図
【図４】    本発明のカバーの断面図
【符号の説明】
１  ホルダー
２  刃体
３  細長突起
４  孔部
５  段差
６  カバー
７  カバー摺動部
８  係止凹部
９  係止凹部
１０  スリット
１１  カバーの底
１２  揺動部
１３  操作部
１４  揺動片の底
１５  係止突起
１６  後端開放口
１７  下向き傾斜面
１８  係止凹部
【図１】
0004005417.tif 000002
【図２】
0004005417.tif 000003
【図３】
0004005417.tif 000004
【図４】
0004005417.tif 000005